(57)【特許請求の範囲】
【請求項１】
床下地と床材との間に設けられる根太であって、
前記床下地にビス留めされる長板状の下板と、前記床材がビス留めされる長板状の上板と、前記下板と前記上板との間に設けられ前記下板と前記上板とに被着されたクッション材層とを有し、
前記クッション材層は前記下板及び前記上板の長手方向に沿って前記下板と前記上板との間の全長にわたって設けられ、
前記下板及び前記上板は、木質板、樹脂、樹脂木材、珪酸カルシウム板、石膏ボードから選択される１以上によって形成され、
前記下板は前記上板に比べて幅広に形成され、前記クッション材層は前記下板の幅方向両端部の間の領域に被着されていることを特徴とする根太。
【請求項２】
前記クッション材層は不織布によって形成されていることを特徴とする請求項１に記載の根太。
【請求項３】
前記上板の厚みは５〜１５ｍｍであり、しかも前記クッション材層の厚みに比べて大きいことを特徴とする請求項１又は２に記載の根太。
【請求項４】
前記下板及び前記上板の厚みはそれぞれ５〜１５ｍｍ、前記クッション材層の施工前厚みは２〜１５ｍｍ、施工前総厚が１２〜３０ｍｍであることを特徴とする請求項１〜３のいずれか１項に記載の根太。
【請求項５】
床下地上に複数配列設置された根太上にボード及び前記ボード上に設けられた床仕上げ材が設置され、
前記根太は請求項１〜３のいずれか１項に記載の根太であり、前記下板は前記床下地にビス留めされ、前記上板に前記床材である前記ボードがビス留めされていることを特徴とする床構造。
【請求項６】
前記根太が請求項３又は４に記載の根太であり、前記下板はその幅方向において前記クッション材層が積層された部分を介して両側の部分を前記床下地にビス留めして固定され、前記下板を前記床下地にビス留めする第１ビス、及び前記上板に前記ボードをビス留めする第２ビスは、前記根太の前記クッション材層から離隔させて設けられていることを特徴とする請求項５に記載の床構造。
【請求項７】
前記床下地上に互いに間隔を空けて設けられた前記根太間に、アスファルト材からなる制振シートと、前記制振シートの下側に配置されたクッション材とが設けられ、前記クッション材と前記制振シートとの合計高さが前記根太の高さと同じに揃えられていることを特徴とする請求項５、６のいずれか１項に記載の床構造。
【発明の詳細な説明】
【技術分野】
【０００１】
本発明は、建築物の床構築に利用可能な根太及び床構造、詳しくは、建築物において階下に影響を与える床衝撃音を低減できる根太及び床構造に関する。
【背景技術】
【０００２】
建築物の二階以上の床に対する防音の要求は年々高まっており、特に、複数世帯が一つの建物で生活を行う集合系住宅では、高い防音性能が要求されている。また、戸建て住宅においても二世帯住宅の需要が高まっている背景があり、二階以上の床面に対する防音対策は大きな課題となっている。
【０００３】
このような防音の要求に対する現在の技術では、集合系住宅においてはコンクリートの厚さを上げるなどにより、床下地材の剛性を高めることで防音性能を確保することが基本となっている。しかしながら、床下地材の剛性を高めることは大きなコストアップ要因となり、また、建築物全体の強度や高さを上げる必要が生じるという課題がある。
【０００４】
また、コンクリートなどからなる床下地材の上に支持脚を介して合板などからなるボードを支持して二重床面を作ることによって防音性能を確保する、乾式二重床構造を採用することも有効な対策として知られている（例えば特許文献１参照）。
【先行技術文献】
【特許文献】
【０００５】
【特許文献１】特開平１１−２９３８９７号公報
【発明の概要】
【発明が解決しようとする課題】
【０００６】
しかしながら、特許文献１に記載されているような床構造は、軽量床衝撃音の改善は大きいものの、重量床衝撃音において大きな効果が望めない上、床下地から床面までの高さ（以下、床の仕上がり高さと呼ぶ）が高くなってしまう課題がある。一方、防音性の高いフローリングや比重の高い制振シートを床下地上面に設置する対策も採られているが、いずれも効果は軽量床衝撃音に限定され、重量床衝撃音で高い効果を出すことは困難となっている。
【０００７】
この発明は、上記の課題を解決するためになされたものであって、床下地から床面までの高さ（床の仕上がり高さ）を上げることなく防音性能を向上させることができ、しかも長さ調整が容易な根太及びそれを用いた床構造を提供することを目的とする。
【課題を解決するための手段】
【０００８】
上記課題を解決するために、本発明は、以下の態様を採り得る。
第１の態様は、床下地と床材との間に設けられる根太であって、前記床下地にビス留めされる長板状の下板と、前記床材がビス留めされる長板状の上板と、前記下板と前記上板との間に設けられ前記下板と前記上板とに被着されたクッション材層とを有し、前記クッション材層は前記下板及び前記上板の長手方向に沿って前記下板と前記上板との間の全長にわたって設けられ、前記下板及び前記上板は、木質板、樹脂、樹脂木材、珪酸カルシウム板、石膏ボードから選択される１以上によって形成され、前記下板は前記上板に比べて幅広に形成され、前記クッション材層は前記下板の幅方向両端部の間の領域に被着されていることを特徴とする根太である。
第２の態様は、前記クッション材層は不織布によって形成されていることを特徴とする第１の態様の根太である。
第３の態様は、前記上板の厚みは５〜１５ｍｍであり、しかも前記クッション材層の厚みに比べて大きいことを特徴とする第１又は２の態様の根太である。
第４の態様は、前記下板及び前記上板の厚みはそれぞれ５〜１５ｍｍ、前記クッション材層の施工前厚みは２〜１５ｍｍ、施工前総厚が１２〜３０ｍｍであることを特徴とする第１〜３のいずれか１つの態様の根太である。
第５の態様は、床下地上に複数配列設置された根太上にボード及び前記ボード上に設けられた床仕上げ材が設置され、前記根太は第１〜３のいずれか１つの態様の根太であり、前記下板は前記床下地にビス留めされ、前記上板に前記床材である前記ボードがビス留めされていることを特徴とする床構造である。
第６の態様は、前記根太が第３又は４の態様の根太であり、前記下板はその幅方向において前記クッション材層が積層された部分を介して両側の部分を前記床下地にビス留めして固定され、前記下板を前記床下地にビス留めする第１ビス、及び前記上板に前記ボードをビス留めする第２ビスは、前記根太の前記クッション材層から離隔させて設けられていることを特徴とする第５の態様の床構造である。
第７の態様は、前記床下地上に互いに間隔を空けて設けられた前記根太間に、アスファルト材からなる制振シートと、前記制振シートの下側に配置されたクッション材とが設けられ、前記クッション材と前記制振シートとの合計高さが前記根太の高さと同じに揃えられていることを特徴とする第５、６のいずれか１つの態様の床構造である。
【発明の効果】
【０００９】
本発明によれば、長板状の下板と長板状の上板との間に下板及び上板の長手方向に延在するクッション材層を有する根太構造によって軽量床衝撃音及び重量床衝撃音を効率良く吸収でき、高い防音性能を容易に得ることができる。また、本発明は、根太自体によって床の振動（根太から上側の床上部構造体の衝撃力に対する振動）や床衝撃音を効率良く吸収、減衰できるため、床仕上がり高さを抑えることも容易に実現できる。
【００１０】
また、本発明にかかる根太は、前記下板及び前記上板が、木質板、樹脂、樹脂木材、珪酸カルシウム板、石膏ボードから選択される１以上によって形成されている構成により、切断による長さ調整が容易である。このため、本発明によれば、根太をその施工場所に応じて適宜切断して長さ調整でき、根太及び床構造全体の施工効率を向上できる。
【図面の簡単な説明】
【００１１】
【図１】本発明の１実施形態の床構造を示す正断面図である。
【図２】図１の床構造の根太を示す斜視図である。
【図３】図１のＡ−Ａ線断面矢視図であり、第２ビスを省略して示した図である。体斜視図である。
【発明を実施するための形態】
【００１２】
以下、本発明の１実施形態の根太及び床構造について、図面を参照して説明する。
なお、根太及び床構造について、図１において上側を上、下側を下として説明する。
【００１３】
図１に示す床１０は、本発明の床構造の実施形態の１態様である。
図１に示す床１０（床構造）は、スラブ状の床下地２０と、床下地２０上に複数配列設置された根太３０と、これら根太３０上に構築された床上部構造体４０とを有する。
床下地２０は、例えば合板、無垢木板等の木質板、木質材をパネル化した木質パネル、軽量発泡コンクリート(ＡＬＣ：Autoclaved Lightweight aerated Concrete)板等であるが、この他、コンクリートスラブ等であっても良い。
また、図１の床１０は、床下地２０上に間隔を空けて互いに平行に設置された根太３０間に、床下地２０上に床下地２０上面に沿う層状に設けられたクッション材５１と、このクッション材５１上に設けられた制振シート５２も有している。
【００１４】
床上部構造体４０は、根太３０上に載置して敷き並べられた複数のボード４１（床材）と、ボード４１上に設けられた床仕上げ材４２（床材）とを含む、床材の層が複数積層された床材積層体である。以下、床下地２０を第１床下地、ボード４１が形成する層を第２床下地、とも言う。
ボード４１は、例えば合板、無垢木板等の木質板、石膏ボード、といった板状部材である。
床仕上げ材４２は、フローリングブロック等の木質床材、樹脂シート等の周知のものを採用できる。
【００１５】
なお、図１では、ボード４１の層（第２床下地）と、その上の床仕上げ材４２の層とで構成された床上部構造体４０を例示しているが、床上部構造体４０はこの構成に限定されない。床上部構造体４０は、３層以上の床材層によって構成されたものであっても良い。床上部構造体４０は、例えば、床材層の間に制振シート（床材。例えば、アスファルト材に酸化鉄等の金属フィラーを分散混入した材料をシート状に成形したもの）が設けられた構成のもの等も採用可能である。
【００１６】
図１、図２に示すように、根太３０は、長板状の下板３１と、長板状の上板３２と、下板３１と上板３２との間に設けられたクッション材層３３とを有し、これらを一体化した構成の部材である。
図１に示すように、根太３０は、床下地２０（第１床下地）上面に重ね合わせるようにして床下地２０上に設置した下板３１をビス１１（以下、第１ビスとも言う）を用いて床下地２０に締結固定して床下地２０上に設けられている。また、根太３０の上板３２には、該上板３２上に載置されたボード４１が、ビス１２（以下、第２ビスとも言う）を用いて締結固定されている。
【００１７】
上板３２と下板３１とは、それぞれの長手方向を揃え、かつそれぞれの両面におけるその長手方向に垂直の幅方向を揃えて、互いに平行に設けられている。
図１の上板３２及び下板３１は、それぞれ、合板、無垢木板等の木質板である。
但し、上板３２及び下板３１の材質は、圧縮強度が高くかつビス留め可能なものであれば良く、木質材料以外に、例えば樹脂、樹脂木材、窯品（但し、珪酸カルシウム板、石膏ボード等の、電動カッターでの切断が容易なもの）等も採用可能である。上板３２及び下板３１の材質は、互いに同じでも異なっていても良い。また、下板３１及び上板３２は、木質板、樹脂、樹脂木材、珪酸カルシウム板、石膏ボードから選択される２以上を複合一体化した複合構造であっても良い。
【００１８】
図１、図２に示すように、根太３０の下板３１は上板３２に比べて幅広に形成されている。クッション材層３３は下板３１の幅方向両端部の間の領域に被着一体化されている。下板３１はその幅方向においてクッション材層３３が被着積層された部分３１ａ（以下、クッション材層被着部とも言う）を介して両側にクッション材層３３が被着積層されていない部分３１ｂ（以下、固定用張出部とも言う）を有している。根太３０の下板３１は、第１ビス１１を用いて幅方向両側の固定用張出部３１ｂの複数箇所を床下地２０にビス留めして床下地２０に固定されている。
【００１９】
図１、図２の根太３０の上板３２は、クッション材層３３を介して下板３１のクッション材層被着部３１ａに対向する位置に設けられている。
図１、図２の根太３０のクッション材層３３は、上板３２のクッション材層３３を介して下板３１に対向する側の面全体に被着一体化されている。また、図１、図２に示すクッション材層３３の上板３２面方向に平行の面方向の寸法は上板３２面方向寸法に一致している。下板３１のクッション材層被着部３１ａの面積は、上板３２のクッション材層３３を介して下板３１に対向する面の面積に一致している。下板３１のクッション材層被着部３１ａと上板３２の、下板３１面方向における位置及び大きさは互いに一致している。
【００２０】
床上部構造体４０の撓み抑制のため、上板３２には４０ｍｍ以上の幅寸法と、９ｍｍ以上の厚みとを確保することが好ましい。
また、根太３０は、第１ビス１１のクッション材層３３との接触回避や、第１ビス１１の回転操作のクッション材層３３及び上板３２との干渉回避のため、下板３１幅方向両側の固定用張出部３１ｂに１０ｍｍ以上の幅寸法を確保することが好ましい。
根太３０は、例えば上板３２の幅寸法が４０〜１００ｍｍ程度、かつ下板３１の幅寸法が上板３２の幅寸法に比べて２０〜３０ｍｍ程度大きく、下板３１幅方向両側の固定用張出部３１ｂに１０ｍｍ以上の幅寸法が確保された構成を好適に採用できる。
【００２１】
なお、図１、図２に示す根太３０の下板３１の幅方向両側の固定用張出部３１ｂの下板３１幅方向の延在寸法は互いに同じである。
但し、根太は、下板３１の幅方向両側の固定用張出部３１ｂの下板３１幅方向の延在寸法が異なっている構成も採用可能である。
【００２２】
上板３２上に載置されたボード４１は、ボード４１に貫通させた第２ビス１２によって上板３２に固定されている。第２ビス１２は、根太３０に床上部構造体４０を施工する工程において、床上部構造体４０の床材のうちボード４１のみが根太３０上に載置された状態にて、ボード４１上方からの操作によってボード４１を貫通させ上板３２にねじ込んで上板３２をボード４１に締結固定する。
【００２３】
図１、図２の根太３０のクッション材層３３は不織布によって形成されている。
但し、クッション材層３３は、床上部構造体４０からの振動エネルギーを吸収、減衰できるものであれば良く、不織布に限定されない。クッション材層３３の材質は、例えば、樹脂発泡材、ゴム材、樹脂材等も採用可能である。クッション材層３３は、不織布、樹脂発泡材、ゴム材、樹脂材（レジン樹脂材）から選択される複数を複合した複合材料も採用可能である。
【００２４】
下板３１にクッション材層３３を被着するための手法は、例えば、接着剤による接着固定、両面接着テープを用いた接着等を採用できる。
また、少なくとも下板３１が当接される側の表層あるいは全体が熱可塑性樹脂によって形成された層（樹脂材。以下、熱可塑性樹脂層）である構成のクッション材層を採用し、加熱溶融させた熱可塑性樹脂層の冷却固化によって下板３１にクッション材層３３を接着する熱溶着も採用可能である。熱可塑性樹脂は接着性を有するものを採用する。
上板３２へのクッション材層３３の被着手法は、下板３１へのクッション材層３３の被着に利用可能な被着手法を採用できる。上板３２にクッション材層３３を熱溶着する場合は、少なくとも上板３２が当接される側の表層あるいは全体が熱可塑性樹脂層である構成のクッション材層を採用する。
なお、下板３１へのクッション材層３３の被着手法と、上板３２へのクッション材層３３の被着手法とは、互いに同じであっても異なっていても良い。
【００２５】
図１の床１０（床構造）は、床上部構造体４０にその上面（床仕上げ材４２上面）側から与えられた衝撃力をボード４１から根太３０の上板３２を介して根太３０のクッション材層３３に伝達してクッション材層３３にて吸収、減衰する。また、この床１０の根太３０は、その全長（長板状の下板３１と長板状の上板３２との間の全長）にわたってクッション材層３３を有する構成である。このため、この床１０では、床上部構造体４０にその上面側から与えられた衝撃力を根太３０の上板３２を介して根太３０のクッション材層３３の広範囲にわたって伝達できる。その結果、この床１０によれば、床上部構造体４０にその上面側から与えられた衝撃力をクッション材層３３にて効率良く吸収、減衰でき、床衝撃音吸収性能を向上できる。床上部構造体４０にその上面側から与えられた衝撃力を根太３０の上板３２を介して根太３０のクッション材層３３の広範囲にわたって伝達して、クッション材層３３にて効率良く吸収、減衰する構成は、特に床上部構造体４０に与えられた衝撃による重量床衝撃音の低減に有効に寄与する。
【００２６】
下板３１及び上板３２が木質板、樹脂、樹脂木材、珪酸カルシウム板、石膏ボードといった圧縮強度が高い材質で形成されている構成は、床上部構造体４０の振動エネルギーをクッション材層３３に直接的に伝達しクッション材層３３に作用させることに有効に寄与する。その結果、床上部構造体４０の振動エネルギーのクッション材層３３による吸収、減衰を効率良く行なえ、重量床衝撃音の抑制に有効に寄与する。
【００２７】
根太３０は、例えば、下板３１及び上板３２の厚みがそれぞれ５〜１５ｍｍ、クッション材層３３の厚みが２〜１５ｍｍ、総厚が１２〜３０ｍｍである構成を採用できる。また、図１、図２に示す根太３０は、下板３１及び上板３２の厚みがクッション材層３３の厚みに比べて大きい構成となっている。
なお、２〜１５ｍｍのクッション材層３３の厚みは、下板３１上にクッション材層３３が位置する向きで下板３１が水平支持され外力が作用していない状態（以下、静置状態とも言う）の根太３０におけるクッション材層３３の厚み（以下、施工前厚み、とも言う）を指す。施工の完了した床１０における根太３０のクッション材層３３には２〜１５ｍｍの厚み（以下、施工後厚み、とも言う）が確保されていることが好ましい。
また、１２〜３０ｍｍの根太３０の総厚は、静置状態の根太３０の総厚（施工前総厚）である。施工の完了した床１０における根太３０の総厚（施工後総厚）は１２〜３０ｍｍｍｍであることが好ましい。
【００２８】
図１の床１０では、根太３０の上板３２にボード４１を固定した第２ビス１２の先端（下端）を上板３２内に配置している。第２ビス１２はクッション材層３３から離隔させて配置され、クッション材層３３に接触していない。また、根太３０の下板３１を床下地２０に固定する第１ビス１１もクッション材層３３から離隔させて配置され、クッション材層３３に接触していない。
【００２９】
このため、図１の床１０では、第１ビス１１及び第２ビス１２が、床上部構造体４０から作用した振動エネルギーによるクッション材層３３の変形挙動に影響を与えることが無い。第１ビス１１及び第２ビス１２がクッション材層３３から離隔させて配置されている構成は、床上部構造体４０から作用した振動エネルギーのクッション材層３３による吸収、減衰を妨げず、防音性能の向上に有効に寄与する。
【００３０】
図１の床１０では、床下地２０と床上部構造体４０との間が根太３０のクッション材層３３を介して絶縁されている。このため、床上部構造体４０の振動エネルギーが床下地２０に伝達されにくく、階下に影響を与える床衝撃音の低減に有効に寄与する。
【００３１】
根太３０の上板３２は、第２ビス１２によるボード４１の固定を確実にすること、床上部構造体４０の撓みを抑制することに鑑みて、９ｍｍ以上の厚み（施工前厚み）を確保することが好ましい。
また、根太３０は総厚を抑えて床の仕上がり高さを低くするべく、クッション材層３３の施工前厚みが上板３２の厚みに比べて小さい構成を採用できる。このことに鑑みた根太３０は、例えば、下板３１の厚みが５〜１５ｍｍ、上板３２の厚みが９〜１５ｍｍで、クッション材層３３は施工前厚みが３〜１３ｍｍ、施工後厚みが２〜１３ｍｍ、施工前総厚が１７〜３０ｍｍ、施工後総厚が１６〜３０ｍｍであるものを採用できる。但し、クッション材層３３は、施工前厚みが上板３２の厚みに比べて小さいものを採用する。根太３０の施工前総厚は１７〜２５ｍｍ、施工後総厚は１６〜２５ｍｍであることがより好ましい。また、この根太３０において、クッション材層３３は、施工前厚みが３〜１０ｍｍ、施工後厚みが２〜１０ｍｍであることがより好ましい。
【００３２】
クッション材層３３の厚みは、床の仕上がり高さを低くするべく根太３０の総厚を抑える点では出来るだけ薄い方が良いが、集合住宅等に要求される防音性能の確保の点から３ｍｍ以上の施工後厚みを確保することが好ましい。特に、重量床衝撃音の振動エネルギーのより確実な吸収、減衰の点では、クッション材層３３に３ｍｍ以上の施工後厚みが確保されていることがより好ましい。この点では、根太３０は、例えば、下板３１及び上板３２の厚みがそれぞれ５〜１５ｍｍで、クッション材層３３の施工前厚みが４〜１５ｍｍ、施工後厚みが３〜１５ｍｍ、施工前総厚が１４〜３０ｍｍ、施工後総厚が１３〜３０ｍｍであることがより好適である。
【００３３】
不織布によって形成されたクッション材層３３は、例えば施工前厚みが４〜１５ｍｍ、目付量２００〜４００ｇ／ｍ２のものを好適に採用できる。このクッション材層３３は、施工前厚みが４〜１５ｍｍ、かつ施工後厚みが３〜１５ｍｍの構成を容易に得ることができる。また、このクッション材層３３は、上部構造体４０に作用した衝撃力の吸収、減衰性能を充分に確保でき、しかも住宅居住者の歩行等による床上部構造体４０の沈み込みを抑えることにも高い効果が得られるため、好適である。
【００３４】
図１に示す床１０では、間隔を空けて互いに平行に設置された根太３０間にて床下地２０上に設けられたクッション材５１及び制振シート５２も、床衝撃音の吸収、減衰に有効に寄与する。
図１に示す床１０のクッション材５１及び制振シート５２の厚みの合計は根太３０の総厚と同じに揃えられている。床下地２０上面は平坦に形成されている。制振シート５２上面は、その全体が、根太３０によって支持されたボード４１の下面に当接されている。制振シート５２は、床上部構造体４０の振動エネルギーを吸収、減衰する。
【００３５】
図１に例示した制振シート５２は、アスファルト材に酸化鉄等の金属フィラーを分散混入した材料をシート状に成形した構成のアスファルト系制振シートである。但し、制振シート５２は、振動抑制効果を有するものであれば良く、アスファルト系制振シートに限定されず、例えば、ゴム製のものや樹脂製のものも採用可能である。制振シート５２の厚みは４〜１２ｍｍであることが好ましい。
クッション材５１はクッション性を有するシート状あるいはプレート状の部材である。クッション材５１の材質は不織布が好適であるが，不織布に限定されず、例えば樹脂発泡体、樹脂材等も採用可能である。
【００３６】
図３は、図１のＡ−Ａ線断面矢視図である。但し、図３においては、第２ビス１２を省略して示している。
図１、図３において、制振シート５２の幅寸法（図１、図３において左右方向の寸法）及び長さ寸法（図３において上下方向の寸法）は、クッション材５１の幅寸法（図１、図３において左右方向の寸法）及び長さ寸法（図３において上下方向の寸法）と同じに揃えられている。また、制振シート５１は、床下地２０上面に沿う方向の位置をクッション材５１に合わせて、クッション材５１上に重ね合わせて設けられている。
【００３７】
図１に示すように、クッション材５１は、床下地２０上にて互いに隣り合う根太３０間（具体的には互いに隣り合う根太３０の下板３１同士間）の離隔距離と同じか若干小さい幅寸法を以て延在するシート状あるいはプレート状に形成される。そして、クッション材５１は、根太３０上（例えば下板３１の固定用張出部３１ｂ上）に重ならないようにして、その全体を互いに隣り合う根太３０間にて床下地２０上に載置して設けられる。
図１、図３に示すように、制振シート５２及びクッション材５１は、その幅方向を互いに隣り合う根太３０の間隔方向（横方向）に一致させ、長手方向（長さ方向）を根太３０長手方向に一致させて設けられる。
【００３８】
クッション材５１は、例えば幅寸法１００〜８００ｍｍ、長さ４５５〜１８２０ｍｍのシート状あるいはプレート状に形成される。制振シート５２は、幅寸法及び長さがクッション材５１と同じに揃えられたシート状に形成される。
なお、根太３０は長さは例えば９１０ｍｍ〜１８２０ｍｍであることが好適である。
【００３９】
制振シート５２は、その幅寸法及び長さをクッション材５１の幅寸法及び長さと同じに揃えた構成に限定されない。制振シート５２は、例えば、その幅寸法がクッション材５１幅寸法に比べて若干短い構成や、長さがクッション材５１の長さと異なる構成、等も採用可能である。
【００４０】
本実施形態の床１０（床構造）の施工方法は、まず、床下地２０（第１床下地）上に互いに平行に設置した複数の根太３０を床下地２０にビス留めする工程と、互いに隣り合う根太３０間の床下地２０上にクッション材５１及び制振シート５２を設置する工程とを行い、これら工程の完了後、複数の根太３０上に床上部構造体４０を構築する床上部構造体施工工程を行なえば良い。
図１に示すように、根太３０は、下板３１の上板３２とは反対側の下面を床下地２０上に載置し、下板３１の幅方向両側の固定用張出部３１ｂをその上側から貫通させた第１ビス１１によって床下地２０に固定する。
床上部構造体施工工程では、まず、複数の根太３０上にボード４１を敷き並べ、各ボード４１をその上から貫通させた第２ビス１２によって根太３０に固定する工程（ボード施工工程）を行なって第２床下地を構築する。次いで、第２床下地のボード４１上への床材の施工によって床上部構造体４０を構築する。
【００４１】
ところで、施工する床の平面視寸法や平面視形状には様々なものがあり、床１０の施工に用いる根太３０は、床の平面視寸法や平面視形状に応じた長さのものを使用する必要がある。
根太３０の下板３１及び上板３２は、木質板、樹脂、樹脂木材、珪酸カルシウム板、石膏ボードから選択される１以上によって形成されたものを採用できる。この構成の下板３１及び上板３２は、例えば金属板に比べて電動カッター等の工具による切断を容易に行える。また、不織布、樹脂発泡材、ゴム材、樹脂材から選択される１以上によって形成されたクッション材層３３も金属板に比べて電動カッター等の工具による切断を容易に行える。木質板、樹脂、樹脂木材、珪酸カルシウム板、石膏ボードから選択される１以上によって形成された下板３１と上板３２との間に、不織布、樹脂発泡材、ゴム材、樹脂材から選択される１以上によって形成されたクッション材層３３を有する構成の根太３０は、電動カッター等の工具による切断を容易に行える。この根太３０は、床１０の施工現場等にて切断して、床の平面視寸法や平面視形状に応じた適切な長さを容易に調整できる。このため、根太３０及び床１０の施工効率を向上できる。
【００４２】
本実施形態の根太３０は、例えば９１０ｍｍ〜１８２０ｍｍの長さで出荷供給される。但し、根太３０は、９１０ｍｍ〜１８２０ｍｍの長さで出荷供給することに限定されず、例えば１８２０ｍｍ超の長さの製品を出荷し、これを適宜切断して適切長さとして使用することも可能である。
【００４３】
また、本実施形態の根太３０は、下板３１及び上板３２の長手方向に沿って下板３１と上板３２との間の全長にわたってクッション材層３３が設けられ、その全長にわたって一定の断面構造にて延在する構成となっている。このため、本実施形態の根太３０は、その長手方向における切断位置に限定が無く、切断による長さ調整を自由に行える。
仮に、根太３０において、クッション材層３３が、根太長手方向の互いに離隔する複数箇所に設けられた構成とした場合は、根太のその長手方向における切断位置によっては、上板の長手方向端部がクッション材層に支持されずに上下揺動しやすい片持ち状態になるケースが生じ得る。
これに対して本実施形態の根太３０は、下板３１及び上板３２の長手方向に沿って下板３１と上板３２との間の全長にわたってクッション材層３３が設けられた構成により、根太３０長手方向における切断位置をどこに設定しても、クッション材層３３による上板３２の支持状態に変わりは無く、優れた防音性能を得ることができる。
【００４４】
以上、本発明を最良の形態に基づいて説明してきたが、本発明は上述の最良の形態に限定されるものではなく、本発明の要旨を逸脱しない範囲で種々の改変が可能である。
例えば、床構造は、床上部構造体４０のボード４１を根太の上板に固定するための第２ビスが上板を貫通し、第２ビス先端部がクッション材層に入り込んだ構成も採用可能である。クッション材層に入り込んだ第２ビスの上板からクッション材層側への突出寸法は、床上部構造体からの振動エネルギーの作用によるクッション材層の変形時に、第２ビスが下板に当接することを回避するべく、クッション材層の厚みの３分の１以下とすることが好ましい。但し、既述のように、第２ビスがクッション材層に接触しない構成の方が、クッション材層による振動エネルギーの吸収、減衰効果の確保の点で有利である。
上述の実施形態の根太３０は、下板３１のクッション材被着部３１ａの両側に下板３１の全長にわたって延在する固定用張出部３１ｂを有する構成となっている。但し、床構造に用いる根太は、例えば、下板３１のその長手方向に互いに離隔する複数箇所に、クッション材被着部３１ａから下板幅方向に張り出す張出部を有し、この張出部を利用して床下地にビス留めされる構成も採用可能である。
【符号の説明】
【００４５】
１０…床構造、１１…第１ビス、１２…第２ビス、２０…床下地、３０…根太、３１…下板、３２…上板、３３…クッション材層、３１ａ…クッション材層被着部、３１ｂ…固定用張出部、４０…床上部構造体、３１…ボード、４２…床仕上げ材、５１…クッション材、５２…制振シート。
【図１】
0006608626.tif 000002
【図２】
0006608626.tif 000003
【図３】
0006608626.tif 000004